(57)【要約】【課題】  印刷装置や設定を使用目的に応じて、使い分けて運用コストを下げようとしても、印刷装置や設定を頻繁に、切り替える操作が面倒な為、実運用ではコストの削減は余り期待出来ない。【解決手段】  上記課題を解決するために、プリンタードライバー画面上で、複数の印刷装置の中から第１及び第２の印刷装置を選択設定し、特に第２の印刷装置或いはその印刷装置の印刷設定を予め登録し、其々第１或いは第２印刷装置を使って印刷する第１と第２印刷キーを独立に設ける事で、印刷装置や印刷装置の設定を頻繁に、切り替え無くても運用コストを削減して印刷出来る。【選択図】  図３
2013186653.tif 000002
【特許請求の範囲】
【請求項１】
第１の印刷装置の使用を選択する為に第１の印刷装置の名称を表示する第１の印刷装置表示手段と、
第２の印刷装置の使用を選択する為に第２の印刷装置の名称を表示する第２の印刷装置表示手段と、
前記第２の印刷装置に運用コストが安い印刷装置としての設定を行う印刷装置設定手段と、
前記第１の印刷装置での印刷を指示する第１の印刷指示手段と、
前記第２の印刷装置での印刷を指示する第２の印刷指示手段と、
前記第１及び第２印刷指示手段に応じて、第１及び第２の印刷装置へ印刷情報を転送する事を特徴とする情報処理装置。
【請求項２】
前記第２の印刷装置はインクジェット記録方式の印刷装置で有る事を特徴とする請求項１記載の情報処理装置。
【請求項３】
前記第２の印刷装置は白黒印刷装置で有る事を特徴とする請求項１記載の情報処理装置。
【請求項４】
第１の印刷装置の名称を表示する第１の印刷装置表示手段と
第２の印刷装置の名称を表示する第２の印刷装置表示手段と
前記第２の印刷装置に、通常印刷より低コストの印刷設定を行う印刷設定手段と
前記第１の印刷装置での印刷を指示する第１の印刷指示手段と前記第２の印刷装置での印刷を指示する第２の印刷指示手段を同じ画面に表示する印刷指示手段とを有することを特徴とする情報処理装置。
【請求項５】
第１の印刷装置の使用を選択する為に第１の印刷装置の名称を表示し、
第２の印刷装置の使用を選択する為に第２の印刷装置の名称を表示し、
前記第２の印刷装置に運用コストが安い印刷装置としての設定を行い、
前記第１の印刷装置への印刷の指示部、前記第２の印刷装置への印刷の指示部への指示に応じて、前記第１及び第２の印刷装置へ印刷情報を転送する事を特徴とする情報処理方法。
【請求項６】
第１の印刷装置の名称を表示し、
第２の印刷装置の名称を表示し、
前記第２の印刷装置に、通常印刷より低コストの印刷設定を行い、
前記第１の印刷装置での印刷を指示する第１の印刷指示部と前記第２の印刷装置での印刷を指示する第２の印刷指示部を同じ画面に表示することを有することを特徴とする情報処理方法。
【請求項７】
コンピュータにより、請求項５、６のいずれか１項に記載された情報処理方法を実行するためのプログラム。
【発明の詳細な説明】
【技術分野】
【０００１】
本発明は、安価な運用コストで印刷を行わせることができる情報処理装置、情報処理方法及びプログラムに関する。
【背景技術】
【０００２】
複数の印刷装置が一般オフィースに導入され、ネットワーク下ではそれらを目的に応じて選択して印刷出来る。
特許文献１はプリントドライバー画面で通常の設定で印刷する際の“印刷”キーの表示を所謂テスト印刷の為に設定変更した場合、“テスト印刷”にそのキー表示を変える技術が開示されている。特許文献２及び３では使用可能な複数の印刷装置の中から、自動的に最も運用コストの安い印刷装置を検出する技術が開示されている。
【先行技術文献】
【特許文献】
【０００３】
【特許文献１】特開２０１０−２１８３４２号公報
【特許文献２】特開２００１−１１７７３２号公報
【特許文献３】特開２０００−３４７８２７号公報
【発明の概要】
【発明が解決しようとする課題】
【０００４】
しかし、特許文献１ではテスト印刷する度に標準設定されている各項目をテスト用に変更する操作が必要である。又、運用コストは記録装置自体だけで決まる物では無く、例えば用いる記録紙や、ドラフトモード等印刷設定に大きく依存する為、必ずしも特許文献２及び３で自動検出された印刷装置が運用コスト最廉価とは限らない。更に、テスト印刷用と清書印刷用とで印刷装置を使い分けるには、其の度に、印刷装置を選択し直す（その印刷装置のプリンタードライバーを起動させる）操作が必要となる。ユーザによっては、その操作が面倒な為、実際はこの使い分けがうまく運用されず、結果として運用コストの削減は余り期待出来ない。
本発明は、上記の問題点を解決してより印刷の為の運用コストが削減出来る情報処理装置を提供する事を目的とする。
【課題を解決するための手段】
【０００５】
その為に、本発明では、第１の印刷装置を選択する為に第１の印刷装置の名称を表示する第１の印刷装置表示手段と、
第２の印刷装置を選択する為に第２の印刷装置の名称を表示する第２の印刷装置表示手段と、
前記第２の印刷装置に運用コストが安い印刷装置としての設定を行う印刷装置設定手段と、
前記第１の印刷装置での印刷を指示する第１の印刷指示手段と、
前記第２の印刷装置での印刷を指示する第２の印刷指示手段と、
前記第１及び第２印刷指示手段に応じて、第１及び第２の印刷装置へ印刷情報を転送する事を特徴とする。
【発明の効果】
【０００６】
本発明によれば、運用コストが安い印刷装置を速やかに利用することができるので、安価な運用コストで印刷が出来る。
【図面の簡単な説明】
【０００７】
【図１】本発明の一実施例を示す印刷装置の利用環境を示す概略図である。
【図２】情報処理システムの機能構成の一例を示すブロック図である。
【図３】ＰＣ１０上で動作する所謂プリンタードライバー画面である。
【図４】試刷プリンターの設定フローである。
【図５】試刷プリンターの設定の別実施例である。
【図６】試刷プリンターのプロパティ画面である。
【図７】試刷プリンターのプロパティの印刷品質画面である。
【図８】印刷の指示の為のフローチャートである。
【図９】別実施例を示す印刷装置の利用環境を示す概略図である。
【図１０】別実施例のプリンタードライバー画面である。
【図１１】別実施例のプロパティ画面である。
【発明を実施するための形態】
【０００８】
以下、本発明を実施するための形態について図面を用いて説明する。本実施形態では、情報処理システムを例に説明するが、本発明はこれに限定されるものではない。
【実施例】
【０００９】
図１は、本発明の一実施例を示す印刷装置の利用環境を示す概略図である。本実施例の印刷装置３０及び４０は、其々ＩＪ記録方式（インクジェット記録方式）の印刷装置３０（ＩＪ−５０００）と、電子写真方式の印刷装置４０（カラーレーザープリンター）であり、其々ＰＣ１０（情報処理装置）とはネットワーク２０を介して接続されている。尚ネットワークは有線でも無線でもよい。ユーザは、ＰＣ１０に搭載されたアプリケーションソフトに付随したプリンタードライバー画面上でそれぞれの印刷装置を選択設定すれば、其々の印刷装置で印刷が可能となる。
【００１０】
一般に、ＩＪ方式の印刷装置３０は運用コストは安いが、普通紙での画質が電子写真方式の印刷装置４０に比べて劣る為、例えば社内やプライベートの印刷物としては使用できるが、社外等の外部への提供資料等には使えない。一方  電子写真方式の印刷装置４０は高速で高画質だが運用コストが高い。従って本実施例では電子写真方式の印刷装置４０を清書用の印刷装置とし、ＩＪ方式の印刷装置３０を試し刷り用の印刷装置として設定する。
【００１１】
図２は、図１で示した印刷システムの機能構成の一例を示すブロック図である。図示するように、印刷システムは、例えば、不図示の、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、ハードディスクと、ディスプレイ等の表示装置と、キーボードやマウス等からなる入力装置と、印刷装置３０及び４０と印刷データの送受信を行う通信インターフェイス、などを備えた一般的なコンピューター（パーソナルコンピューター）ＰＣ１０で実現される。またＰＣ１０はパーソナルコンピューターに限定されず、通信機能を有する携帯電話、スマートフォン等の携帯端末機器でもよい。
【００１２】
ＰＣ１０は、図２に示すように、アプリケーション１１と、プリンタードライバー１２がインストールされ、記憶部１５が少なくとも内蔵される。アプリケーション１１、及び、プリンタードライバー１２は、ＰＣ１０が備えるＲＯＭなどからＲＡＭにロードされたコンピュータープログラムを、ＣＰＵが実行することにより動作する。記憶部１５は、ＲＯＭやハードディスクなどの記憶装置により構築される。
【００１３】
アプリケーション１１は、印刷対象の印刷データを作成する処理を行う。ここで、印刷データは、文書作成ソフトウェアが生成するデータ（例えば、ワード（登録商標）ファイル）や、表計算ソフトウェアが生成するデータ（例えば、エクセル（登録商標）ファイル）や、描画ソフトウェアが生成するデータ（例えば、パワーポイント（登録商標）ファイル）などを含む。アプリケーション１１は、ＰＣ１０にインストールされた、一般的なドキュメント作成プログラムに従って機能する。このドキュメント作成プログラムには、例えば、ワード、エクセル、パワーポイントなどが含まれる。
【００１４】
プリンタードライバー１２は、印刷装置３０及び４０における印刷設定を行うとともに、印刷装置３０及び４０を制御する。図示するように、プリンタードライバー１２は、設定部１３と、実行部１４とを有する。
【００１５】
設定部１３は、印刷装置３０及び４０における印刷設定を行う。ここで、印刷設定を行うとは、プリンタードライバー１２（後述する実行部１４）が印刷データを生成するときに参照するパラメーター（以下では、単に「設定値」とよぶ）を決定することをいう。具体的には、設定部１３が、設定項目ごとの設定値を所定の格納場所（メモリー上）に格納することをいう。また、上記の設定項目には、例えば、ページレイアウトとして「集約印刷」、印字品質として「省インク印刷設定」、給紙方法として「カセット１」、印刷方法として「両面印刷」、などの項目が含まれる。
【００１６】
また、本実施例では、印刷装置３０を一般のＩＪ方式の印刷装置としてだけでは無く、試し印刷用として利用する為に、プリンタードライバー１２に既定の固定的な印刷設定を行って、印刷を行う。そのため、設定部１３は、試刷プリンターとしてのこの印刷設定を、予め記憶部１５に登録しておく機能を有している。
【００１７】
実行部１４は、印刷情報を生成し、生成した印刷情報を印刷装置３０及び４０に転送して印刷を行わせる。具体的には、実行部１４は、設定部１３によって設定された印刷設定に基づく印刷を印刷装置３０及び４０に行わせるための制御コマンドを、印刷ベクトルデータや印字データとともに印刷装置３０及び４０に転送する。ここで印刷ベクトルデータとは所謂ページ記述言語であり、この印刷ベクトルデータは印刷装置３０及び４０において印刷装置３０及び４０で使われる印字データに変換される。又印字データとは印刷装置３０及び４０で直接印字出来るデータであり、安価な印刷装置に対しては実行部１４で印字データを生成して印刷装置３０及び４０に転送する。
【００１８】
記憶部１５は、図示するように、プリセット登録テーブル１６と、設定ファイル１７と、を記憶する。例えば、プリセット登録テーブル１６については、プリンタードライバー１２のインストール用パッケージに予め格納されており、ＰＣ１０へのインストールの時に、記憶部１５に記憶される。また、設定ファイル１７については、設定ファイル作成者により、任意のタイミングで記憶部１５に記憶される。試刷プリンター用に印刷設定された後述する規定の設定項目が固定的設定された設定ファイル１７は、印刷装置３０のそれ（ＩＪ−５０００）とは異なる名称（ＩＪ−５０００（試刷））で記憶部１５に記憶保持される。
【００１９】
次に、印刷装置３０及び４０について説明する。
【００２０】
印刷装置３０及び４０は、例えば、不図示の、ＣＰＵと、ＲＡＭと、ＲＯＭと、ネットワークインターフェイスと、印刷エンジンと、入力装置（ボタン、タッチパネルなど）と、表示装置（表示パネルなど）と、を備えている。ただし、印刷装置３０及び４０の構成はこれに限定されるものではなく、例えば、ページ記述言語から印字データへの変換処理を行うＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを備えていてもよい。また、印刷装置３０及び４０は、印刷機能のみを備えた装置３０及び４０に限定されず、例えば、複写機能を有した複合機やＦＡＸ装置などでもよい。
【００２１】
印刷装置４０上には、少なくとも印刷実行部４１が構築される。印刷実行部４１は、印刷装置４０が備えるＲＡＭにロードされたコンピュータープログラムを、ＣＰＵが実行すること、及び、印刷エンジンが動作すること、により構築される。或いは、印刷実行部４１が有する機能を実現する専用のＡＳＩＣなどが動作することにより構築されてもよい。同様である為、印刷装置３０の説明は省く。
【００２２】
印刷実行部４１は、ＰＣ１０から転送された印刷情報に基づきを印刷する。具体的には、印刷実行部４１は、ＰＣ１０のプリンタードライバー１２（実行部１４）が生成した印刷データと、印刷についての制御コマンドを受信する。そして、印刷実行部４１は、受信した制御コマンドに従って印刷エンジンを制御し、受信した印刷データの印刷処理を実行する。なお、印刷実行部４１は、プリンタードライバー１２から受信した印刷データがそのまま印刷できないページ記述言語の場合には、受信した印刷データに対して所定の画像処理を施し、印刷可能な印字データに変換してから、印刷を実行する。
【００２３】
なお、上記の各構成要素は、図１に示す印刷システムの構成の理解を容易にするために、主な処理内容に応じて分類したものである。各構成要素の分類の仕方や名称によって、本発明が制限されることはない。図１に示す印刷システムの構成は、処理内容に応じて、さらに多くの構成要素に分類することもできる。また、１つの構成要素がさらに多くの処理を実行するように分類することもできる。また、図１に示す印刷システムにおける各機能部は、ハードウェアにより構築されている場合には、各機能部の処理が１つのハードウェアで実行されてもよいし、複数のハードウェアで実行されてもよい。
【００２４】
本発明の実施例を図３以降の図面を用いて詳細に説明する。
【００２５】
図３は、ＰＣ１０上で動作するアプリケーションから開ける所謂プリンタードライバー画面３００であり、印刷に使う印刷装置や印刷情報に関する設定が選択された状態を表示している。
【００２６】
プリンタードライバー画面３００の中の、通常プリンター設定部３０１（印刷装置選択表示部）は通常の印刷に用いる印刷装置を複数の印刷装置から選択され表示する箇所で、今印刷装置４０が選択されている。一方、試刷プリンター設定部３０２では、複数の印刷装置から試し刷り印刷用の印刷装置として印刷装置３０が選択されている。この画面の状態で試刷登録キー３０３を押下すれば、印刷装置（ＩＪ−５０００）３０が試し刷り印刷用の印刷装置として設定される。この時図２に示す様に、装置の実態は印刷装置３０と同じだが、既定の設定項目が固定的に設定された新たなＩＪ−５０００（試刷）なる新規の印刷装置５０がネットワーク２０に接続された様にプリンタードライバー画面３００に表示され、その使用が可能になる。
【００２７】
図４に上記した試刷プリンターの設定フローを示す。図３に示すプリントドラーバー画面の状態において試刷登録キー３０３が押下されると、試刷プリンターとしてＩＪ−５０００が登録される。試刷登録キー３０３が押されるとまずステップ４０１にてＩＪ−５０００のプリンタードライバーを複製される。具体的には図２で既に説明した様に、プリセット登録テーブル１６及び設定ファイル１７に、既に格納されているＩＪ−５０００のデバイス情報を新たな印刷装置用として複製し、新たにＩＪ−５０００（試刷）なる名称のプリンターとして登録表示する（ステップ４０２）。
【００２８】
尚、図示しないが、同時にプリンタードライバー画面３００において、通常の印刷に用いる通常プリンター設定部３０１でもこのＩＪ−５０００（試刷）なる名称のプリンターが新たに選択可能になる。
【００２９】
次に、今設定されたＩＪ−５０００（試刷）が試刷プリンターとして最も運用コストが低くなるように、設定ファイル１７に既定の設定項目が固定的に設定される  （ステップ４０３）。設定の例を表１に示す。
【００３０】
【表１】
2013186653.tif 000003
【００３１】
本実施例ではまず両面印刷、１枚の記録紙面に約５０％縮小して２ページ分印刷する２ｉｎ１集約印刷、既定の給紙段に予め最廉価の再生紙を装着する事を前提する。そして、その記録紙で印刷する為の既定給紙段（カセット１）の設定、更に中間調オブジェクトに対して記録濃度を下げ、約５０％のインクが削減出来るドラフトモードに設定する。尚中間調オブジェクトは、印刷データを構成するイメージオブジェクト、テキストオブジェクト、グラフィックオブジェクトに前述した画像処理を構成するハーフトーン処理を行うことで得られるデータである。
【００３２】
通常これらの印刷設定項目は記録（印刷）する度に自由に変更して設定出来るが、本実施例の試刷プリンター５０はこれらの項目を上記予め既定された設定に固定的に設定するので確実に運用コストを下げる事が出来る。
【００３３】
尚、ステップ４０３では、試刷プリンターとして最も運用コストが低くなる設定を行ったが、試刷プリンターの設定としては、例えばこの試刷プリンターを使う組織、個人が決めた通常印刷に比べコストが安くなる設定であれば他の設定に固定的に設定をしてもよい。
【００３４】
この場合の通常印刷とは、例えばデフォルトの印刷設定（片面、普通紙の給紙段、１ｉｎ１、ドラフトモードを使わないインク削減を行わないモード）が一例である。
【００３５】
例えば２ｉｎ１集約印刷ではなく４ｉｎ１集約印刷と最廉価の再生紙を装着する事を前提とし、その記録紙で印刷する為の既定給紙段の設定をするが、インク削減は行わない設定を用いてもよい。
【００３６】
以上のように、複数の印刷装置の中から運用コストの安い印刷装置を選び、更に、その印刷装置に対し試刷り用途に限定した印刷設定を用いて試刷プリンターとして予め設定する。そして、プリンタードライバー画面上で通常の印刷装置を選択して印刷する印刷キーとは別に、試し印刷キーを独立に設ける。
【００３７】
その結果、ユーザは簡単に試し印刷時に試刷り用途に限定した印刷設定を用いて試刷プリンターによる印刷を行うことができるので、より安価な運用コストで印刷出来る情報システムが提供出来る。
【００３８】
尚、試刷プリンターとは、下書きプリンター、ドラフトプリンター、低コストプリンター、テストプリンター等の名前でもよい。
【００３９】
試刷プリンターの設定の別の例を図５及び図６で詳説する。
【００４０】
先の実施例同様に、プリンタードライバー画面３００において、試刷プリンター選択部３０２でＩＪ−５０００を選択表示した後、試刷登録キー３０３を押下すると、先の実施例で説明した通り、ＩＪ−５０００のプリンタードライバーを複製し、その名前だけが異なる図２に示す印刷装置５０即ちＩＪ−５０００（試刷）が生成される。
【００４１】
試刷プリンターとして設定されたＩＪ−５０００（試刷）は図５に示すプリンタードライバー画面３００中のプリンター選択部で選択すれば、選ぶ事が出来る（３０６）。この状態でプロパティキー３０７を押下すれば、通常のプリンターに対して各種の設定を行うのと同様に、試刷プリンターＩＪ−５０００（試刷）の各種の項目を設定する事が出来る。
【００４２】
図６の画面６０１はプロパティ画面の中のページ設定画面である。この画面のページレイアウト設定部６０２で記録紙の片面に２ページ分の印刷情報を集約して印刷する所謂“２ｉｎ１”を選択してＯＫキーで確定させる。同様に画面６０３はプロパティ画面の中の仕上げ画面である。
【００４３】
この画面の印刷方法設定部６０４で“両面印刷”を選択してＯＫキーで確定させる。同様に画面６０５はプロパティ画面の中の給紙画面である。
【００４４】
この画面の給紙方法設定部６０６で常に再生紙が装填されてる  “カセット１”を選択してＯＫキーで確定させる。
【００４５】
最後に再び図５に示すプリンタードライバー画面３００に戻り試刷登録キー３０３を再度押下すれば、試刷プリンターとして設定されたＩＪ−５０００（試刷）に上述した各種の設定が手動で行える。
【００４６】
本図５、６の例では各ユーザが独自に試刷プリンターの設定が行える利点を有する。
【００４７】
尚、同じ印刷装置３０に対して複数の試刷プリンター設定を行う場合は、図示しないが、図３に示すプリンタードライバー画面において再度試刷登録キー３０３を押下すれば、既に項目設定されたＩＪ−５０００（試刷）が存在する為、自動でＩＪ−５０００（試刷２）なる名前の試刷プリンターが設定できる。以降の手順は先に述べた通り、同様にして複数の試刷プリンターに対しても各種の設定が行なえる事は述べるまでも無い。
【００４８】
図７に試刷プリンターＩＪ−５０００（試刷）のプロパティの印刷品質画面７００を示す。通常この画面では印刷目的に応じて一般、グラフィックス、写真等の各種の設定を選ぶ事が出来るが、本別の例ではその目的は運用コストを削減した既定の設定に従う試し印刷７０１に固定化されていてユーザは他の目的の為の項目を選択する事は出来ない。
【００４９】
さて、再び図３に示すプリンタードライバー画面３００に戻り、試し印刷キー３０４と印刷キー３０５に関して詳説する。図８はプリンタードライバー画面３００を表示した状態で印刷の指示が入力された場合のフローチャートである。
【００５０】
今印刷指示部である試し印刷キー３０４が押下されたなら、図８のステップ８００からステップ８０１に分岐し、印刷装置５０、即ちＩＪ−５０００（試刷）を用いて試し印刷を開始する。一方、この状態で印刷指示部である印刷キー３０５が押下されたなら、ステップ８０２からステップ８０３に分岐し、通常に設定された印刷装置４０、即ちカラーレーザープリンターを用いて印刷を開始する。
【００５１】
本実施例では通常の印刷を指示する印刷キー３０５と運用コストを抑えた試し印刷キー３０４を独立に持つ事で、試刷プリンターを簡単に使用することができる。したがって、試し刷り印刷する度に試刷プリンターのプリンタードライバーを起動させて印刷指示をすることが必要がない。又、試刷登録が指示されると、試刷プリンタ用のプリンタードライバーには表１のように予め運用コストを削減した固定的な印刷設定が行われる為、試し刷り印刷を行う度に設定項目を変更する手間も無く速やかに間違いなく試し刷り印刷ができる。
【００５２】
［別実施例］
先の実施例ではネットワーク２０に接続されたインクジェットプリンターを運用コストの低い試し印刷用プリンターに設定し、プリンタードライバー画面３００で、通常プリンターとして選択する事無く直接この試刷プリンターで印刷するシステムを説明したが、図９は更に白黒印刷装置６０（ＢＷプリンタ）がネットワーク２０に接続された、別実施例を示す為の印刷装置の利用環境を示す概略図である。この環境下では、白黒印刷する場合、明らかにカラー印刷が出来る印刷装置３０及び４０に比べて白黒印刷装置６０を使う方がより運用コストが下がる。
【００５３】
図１０に図９で示す環境下でより白黒印刷装置の利用を促せる別実施例のプリンタードライバー画面３１３を示す。図１０において、白黒プリンター選択部３１０では今印刷装置６０即ちＢＷプリンタが選択されている。プリントドライバー画面３１３のプロパティキー３１４は通常プリンター選択部３０１（印刷装置選択表示部）で選択表示されてる印刷装置の各種印刷設定を行う為のキーである。本別実施例の特徴は、白黒プリンター選択部３１０で選択表示されている白黒プリンターの各種印刷設定を行う為に専用にプロパティキー３１１を持つ。
【００５４】
今、白黒プリンター６０の各種印刷設定を行う為のプロパティキー３１１を押下すれば、画面は図１１に示すＢＷプリンタのページ設定のプロパティ画面１１００に移る。このプロパティ画面１１００中のタブ１１０１によって、仕上げ設定の為のプロパティ画面、このプロパティ画面１１００中のタブ１１０２によって、給紙の為のプロパティ画面、このプロパティ画面１１００中のタブ１１０３によって、印刷品位設定の為のプロパティ画面へと推移し、一般的な印刷設定をＢＷプリンタに対して行う事が出来る。
【００５５】
各種の印刷設定を行った後、再び図１０のプリンタードライバー画面３１３に戻り、白黒印刷キー３１２を押下すれば、既に白黒プリンター選択部３１０で設定され表示されているＢＷプリンタで印刷を開始出来る。  尚  印刷キー３０５を押下すれば、通常プリンター設定部３０１で設定表示されているカラーレーザープリンタで印刷を開始する。
【００５６】
別実施例によれば、先の実施例同様に白黒印刷する場合、其の度に使用するプリンターを切り替えて選択する事無く、間違いなく予め設定した白黒プリンターで印刷が出来る。
【００５７】
尚上述した実施例、別実施例では、プリンタードライバーを用いて説明をしたが、アプリケーションから印刷を指示するドライバーレスの場合には、このアプリケーションが図３〜図１１のインターフェイス、機能を提供してもよい。
【００５８】
この場合、アプリケーションのユーザインターフェイスから試刷登録が可能となり、試刷プリンターとしてインクジェットプリンターを登録できる。そして３０１、３０２に相当する複数のプリンターが選択でき、試し印刷３０４、印刷３０５の指示部が同じ画面に表示される。
【００５９】
もちろんインクジェットプリンターの設定ファイル１７には上述した既定の設定項目が固定的に設定される。
【００６０】
［本発明の他の実施形態］
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。また、前述のプログラムが記憶された記憶媒体はもちろんそのプログラム自体も上述の実施形態に含まれる。
【００６１】
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【００６２】
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図１】
2013186653.tif 000004
【図２】
2013186653.tif 000005
【図３】
2013186653.tif 000006
【図４】
2013186653.tif 000007
【図５】
2013186653.tif 000008
【図６】
2013186653.tif 000009
【図７】
2013186653.tif 000010
【図８】
2013186653.tif 000011
【図９】
2013186653.tif 000012
【図１０】
2013186653.tif 000013
【図１１】
2013186653.tif 000014